(57)【特許請求の範囲】
【請求項１】
履物底の側面に空気流出入口が形成され、前記履物底の上面には前記空気流出入口と連通する通孔が形成され、前記空気流出入口に結合される空気流出入口開閉装置により外部空気が前記通孔を通じて履物の内部に供給されるようにした履物用通気底において、
前記空気流出入口開閉装置は、
前後側が開放構造を成して流路を形成し、一側内部にはネジ部が形成されたメインキャップ（１００）と；
前記メインキャップ（１００）に挿入されて前記メインキャップ（１００）に螺合され、中心部に加圧具（２２０）が形成され、前記加圧具（２２０）の周辺に外部空気流出入孔（２１０）が形成され、頭部が前記空気流出入口に露出するように形成されたボタンキャップ（２００）と；
前記メインキャップ（１００）に挿入され、前記ボタンキャップ（２００）の加圧具（２２０）に当接するように弾性具（３１０）が形成され、外周面に空気流出入路（３５０、３６０）が形成され、他側部に一端が支持されたスプリング（３７０）が形成され、前記ボタンキャップ（２００）のロック及び解除の動作に対応して弾性的に進退する弾性栓部（３００）と；
前記メインキャップ（１００）の内部で前記弾性栓部（３００）を収容し、シール部材（３２０）によって密閉するように結合され、前記ボタンキャップ（２００）のロックの際には前記弾性栓部（３００）との密閉状態が解除されるように形成された弾性栓部ホルダー（４００）と；
前記メインキャップ（１００）に挿入され、前記弾性栓部ホルダー（４００）に密着結合され、前記弾性栓部（３００）のスプリング（３７０）の他端を支持し、中心部には内部空気流出入孔（５１０）が形成されたスプリングカバー（５００）と；を含んでなることを特徴とする、履物用通気底。
【請求項２】
前記ボタンキャップ（２００）は、
前記空気流出入口に露出した部分において前記ボタンキャップ（２００）の頭部には前記ボタンキャップ（２００）の回転を容易にするために把持溝（２３０）が形成されたことを特徴とする、請求項１に記載の履物用通気底。
【請求項３】
前記ボタンキャップ（２００）は、
前記把持溝（２３０）の両側に前記外部空気流出入孔（２１０）が多数形成されることを特徴とする、請求項２に記載の履物用通気底。
【請求項４】
前記弾性栓部（３００）は、
前記ボタンキャップ（２００）の加圧具（２２０）に当接するように形成された弾性具（３１０）と；
前記弾性具（３１０）の外周面に結合されるシール部材（３２０）と；
前記弾性具（３１０）の他側に形成され、前記弾性具（３１０）よりは相対的に大きな直径を有し、周囲に沿って空気流出入路（３５０）が形成され、前記弾性栓部ホルダー（４００）の内周面と接触するように形成された支持板（３３０）と；
前記支持板（３３０）の他側に形成され、前記支持板（３３０）よりは相対的に小さな直径を持ち、周囲に沿って空気流出入路（３６０）が形成され、中心部にはスプリング（３７０）が収容される収容部が形成された流路形成板（３４０）と；を含んでなることを特徴とする、請求項１に記載の履物用通気底。
【請求項５】
前記弾性栓部ホルダー（４００）は、
円筒形状に形成され、前記弾性具（３１０）に結合されたシール部材（３２０）と密閉結合するように、前記弾性具（３１０）に隣接した部分が他部分より直径が小さく形成されたことを特徴とする、請求項４に記載の履物用通気底。
【発明の詳細な説明】
【技術分野】
【０００１】
本発明は履物用通気底に係り、履物の底の内部に外部空気の流出入ができるようにした通気底の空気流出入口を使用者が直接開閉するようにした履物用通気底に関する。
【背景技術】
【０００２】
通常履物の場合には、通気性がよくない皮や合成樹脂などで製作されるため、履物を長期間にわたって履けば、外部との通気ができなくて履物の内部は暑くなり、汗によって湿気が発生するとともに、かびなどが棲息するため、足の臭いがするとか水虫などが発生する問題点がある。
前述した問題点を解決するために、履物の内部と外部の空気が互いに循環することができるようにした履物用通気底が提案された。
図１は従来の履物用通気底の斜視図である。
【０００３】
図１に示すように、従来の履物用通気底１０は、底の側面に形成された空気流出入口１１、底の上面に形成された通孔１２、及び空気流出入口１１と通孔１２を連結する空気流路（図示せず）を含んでなり、外部空気が履物の内部に供給される。
【０００４】
しかし、従来の履物用通気底によれば、使用者との意志とは関係なくいつも空気流出入口が開放しているため、雨が降るとかほこりが多い地域では雨水が染みこみ、ほこりが流入して通孔が詰まるなど、使用上の不便さを発生させる問題点があった。
【発明の概要】
【発明が解決しようとする課題】
【０００５】
したがって、本発明は前述した従来技術の問題点を解決するためになされたもので、通気底に空気流出入口開閉装置を備えて、必要に応じて使用者の簡単な操作で空気流出入口を開閉させることができるようにした履物用通気底を提供することをその目的とする。
【課題を解決するための手段】
【０００６】
前記目的を達成するための本発明は、履物底の側面に空気流出入口が形成され、前記履物底の上面には前記空気流出入口と連通する通孔が形成され、前記空気流出入口に結合される空気流出入口開閉装置により外部空気が前記通孔を通じて履物の内部に供給されるようにした履物用通気底であって、前記空気流出入口開閉装置は、前後側が開放構造を成して流路を形成するメインキャップと；前記メインキャップに挿入され、前記空気流出入口に露出するように結合され、ロック及び解除の動作が可能なボタンキャップと；前記メインキャップに挿入され、前記ボタンキャップのロック及び解除の動作に対応して弾性的に進退して前記メインキャップに形成された流路を開閉させる弾性栓部と；を含んでなることを特徴とする履物用通気底を技術的要旨とする。
【０００７】
前記空気流出入口開閉装置は、前後側が開放構造を成して流路を形成し、一側内部にはネジ部が形成されたメインキャップと；前記メインキャップに挿入されて前記メインキャップに螺合され、中心部に加圧具が形成され、前記加圧具の周辺に外部空気流出入孔が形成され、頭部が前記空気流出入口に露出するように形成されたボタンキャップと；前記メインキャップに挿入され、前記ボタンキャップの加圧具に当接するように弾性具が形成され、外周面に空気流出入路が形成され、他側部に一端が支持されたスプリングが形成され、前記ボタンキャップのロック及び解除の動作に対応して弾性的に進退する弾性栓部と；前記メインキャップの内部で前記弾性栓部を収容し、シール部材によって密閉するように結合され、前記ボタンキャップのロックの際には前記弾性栓部との密閉状態が解除されるように形成された弾性栓部ホルダーと；前記メインキャップに挿入され、前記弾性栓部ホルダーに密着結合され、前記弾性栓部のスプリングの他端を支持し、中心部には内部空気流出入孔が形成されたスプリングカバーと；を含んでなることが好ましい。
【０００８】
前記ボタンキャップは、前記空気流出入口に露出した部分において前記ボタンキャップの頭部には前記ボタンキャップの回転を容易にするために把持溝が形成されることが好ましく、また、前記ボタンキャップは、前記把持溝の両側に前記外部空気流出入孔が多数形成されることがより好ましい。
【０００９】
前記弾性栓部は、前記ボタンキャップの加圧具に当接するように形成された弾性具と；前記弾性具の外周面に結合されるシール部材と；前記弾性具の他側に形成され、前記弾性具よりは相対的に大きな直径を有し、周囲に沿って空気流出入路が形成され、前記弾性栓部ホルダーの内周面と接触するように形成された支持板と；前記支持板の他側に形成され、前記支持板よりは相対的に小さな直径を持ち、周囲に沿って空気流出入路が形成され、中心部にはスプリングが収容される収容部が形成された流路形成板と；を含んでなることが好ましい。
【００１０】
前記弾性栓部ホルダーは、円筒形状に形成され、前記弾性具に結合されたシール部材と密閉結合するように、前記弾性具に隣接した部分が他部分より直径が小さく形成されることが好ましい。
【発明の効果】
【００１１】
前記構成による本発明は、通気底の空気流出入口にボタンキャップの回転作用によって開放または閉鎖する空気流出入口開閉装置が露出するように設置されることにより、必要に応じて使用者が空気流出入口を開放または閉鎖させることができる便利な効果がある。
【図面の簡単な説明】
【００１２】
【図１】図１は従来の履物用通気底の斜視図である。
【図２】図２は本発明に適用可能な空気流出入口開閉装置の分解斜視図である。
【図３】図３は本発明に適用可能な空気流出入口開閉装置の作動説明のための断面図である（矢印は流路）。
【図４】図４は本発明による履物用通気底が適用された履物の側面図である。
【発明を実施するための形態】
【００１３】
前述したような目的達成のための本発明は、履物底の側面に空気流出入口が形成され、前記履物底の上面には前記空気流出入口と連通する通孔が形成され、前記空気流出入口に結合される空気流出入口開閉装置によって外部空気が前記通孔を通じて履物の内部に供給されるようにした履物用通気底において、前記空気流出入口には回転式でロックと解除作用によって開放または閉鎖される空気流出入口開閉装置が露出するように設置された履物用通気底に関する。
【００１４】
ここで、前記空気流出入口開閉装置は、前後側が開放構造を成して流路を形成するメインキャップと、前記メインキャップに挿入され、前記空気流出入口に露出するように結合されてロック及び解除の動作が可能なボタンキャップと、前記メインキャップに挿入され、前記ボタンキャップのロック及び解除の動作に対応して弾性的に進退して前記メインキャップに形成された流路を開閉させる弾性栓部とからなり、さらに前記弾性栓部に密閉方式で結合される弾性栓部ホルダーと、前記弾性栓部のスプリングを支持するスプリングカバーとを含んでなる。
【００１５】
以下では本発明の好ましい実施例を添付図面に基づいて詳細に説明する。図２は本発明に適用可能な空気流出入口開閉装置の分解斜視図、図３ａ及び図３ｂは本発明に適用可能な空気流出入口開閉装置の作動説明のための断面図、図４は本発明による履物用通気底が適用された履物の側面図である。
【００１６】
図示のように、本発明に適用可能な空気流出入口開閉装置９０は、両側が開放したままで前記空気流出入口に密着結合される円筒状メインキャップ１００と、前記メインキャップ１００に挿入されるボタンキャップ２００と、前記ボタンキャップ２００の回転作用、つまりロックと解除の作動によって進退する弾性栓部３００と、前記弾性栓部３００と密閉結合される弾性栓部ホルダー４００と、前記弾性栓部３００のスプリング３７０を支持するスプリングカバー５００とからなる。
【００１７】
まず、前記メインキャップ１００は円筒状に形成され、前後側が開放して流路を形成し、内部には前記ボタンキャップ２００、弾性栓部３００、弾性栓部ホルダー４００及びスプリングカバー５００が収納されるように空間部が形成される。
【００１８】
そして、前記メインキャップ１００の内部一側、つまり前記空気流出入口の外側に内周面にネジ部が形成されることで、後述するボタンキャップ２００のロック及び解除ができるようにする。前記メインキャップ１００の内周面に形成されたネジ部は半ピッチ（ｐｉｔｃｈ）または１ピッチ（ｐｉｔｃｈ）程度に形成されることで、ロック及び解除の作動が迅速になされるようにし、ボタンキャップ２００にもこれに対応してネジ部が形成されるので、前記ボタンキャップ２００を回転させれば、ボタンキャップ２００がロックされるか解除され、前記ボタンキャップ２００がメインキャップ１００の内部で前進または後進するように形成される。
【００１９】
また、前記メインキャップ１００において、前記空気流出入口の内側に結合される部分の外周面には内側に行くほど細くなるように突出した部位が形成され、前記空気流出入口に露出した部分は他の部分に比べて相対的に大きな直径を持つように形成され、前記空気流出入口に結合されるとき、空気流出入口の内周面に堅固に結合されるようにする。
【００２０】
次に、前記ボタンキャップ２００は前記メインキャップ１００の内部に挿入され、前記メインキャップ１００と一端部で螺合される。前記ボタンキャップ２００は両側が開放した円筒状に形成され、一側部は部分的に開放して外部空気流出入孔２１０が形成され、他側部は完全に開放した形態を成す。
【００２１】
そして、前記ボタンキャップ２００の一側部、つまり頭部は前記空気流出入口側に露出するように前記メインキャップ１００に結合され、露出した頭部を回せば、ボタンキャップ２００が前記メインキャップ１００にロックされるか解除されることで、メインキャップ１００の内部で前進または後退するようになる。
【００２２】
そして、前記ボタンキャップ２００の中心部には後述する弾性栓部３００の弾性具３１０と当接するように形成された加圧具２２０が形成され、前記加圧具２２０は前記ボタンキャップ２００の内周面から離隔して前記外部空気流出入孔２１０と連通する一種の流路を形成するようになる。前記ボタンキャップ２００のロックによってボタンキャップ２００が前進すれば、前記加圧具２２０が弾性具３１０を加圧し、これにより弾性栓部３００が前進するようになり、空気流出入口開閉装置９０が全体的に開放されるようになるものである。もちろん、前記ボタンキャップ２００の解除によりボタンキャップ２００が後進すれば、弾性栓部３００も後進するようになり、前記加圧具２２０及び弾性具３１０は後述する弾性栓部３００のスプリング３７０により弾性的に互いに付勢しているので、これにより完璧な密閉がなされる。
【００２３】
また、前記ボタンキャップ２００の前記空気流出入口に露出した部分において前記ボタンキャップ２００の頭部には、前記ボタンキャップ２００の回転を容易にするために、把持溝２３０が形成されており、これは指や爪などで前記把持溝２３０をつかむとか把持溝２３０に挿入してボタンキャップ２００の回転を容易にするためのものである。前記把持溝２３０は一字形または十字形に形成される。
また、前記外部空気流出入孔２１０は前記把持溝２３０の両側に多数が形成されることで、円滑な空気の流出入ができるようにする。
【００２４】
次に、前記弾性栓部３００は前記メインキャップ１００の内部に挿入され、前記ボタンキャップ２００の進退によって一緒に進退するように形成される。前記ボタンキャップ２００の加圧具２２０に当接するように弾性具３１０が形成されて進退し、外周面には空気流出入路３５０、３６０が形成され、他側部には一端が支持されたスプリング３７０が形成され、前記ボタンキャップ２００のロック及び解除の作動に対応して弾性的に前進または後進するようになる。
【００２５】
また、前記弾性栓部３００は、前記弾性具３１０の外周面にシール部材３２０が結合され、前記シール部材３２０は前記弾性栓部３００と後述する弾性栓部ホルダー４００との間に密閉がなされるようにするものである。前記ボタンキャップ２００の解除動作、つまり後進動作によって前記弾性栓部３００が後進すれば、弾性栓部ホルダー４００との間にシール部材３２０を介して密閉されて空気流出入口開閉装置９０が閉鎖され、前記ボタンキャップ２００のロック動作、つまり前進動作によって前記弾性栓部３００が前進すれば、前記弾性栓部３００と弾性栓部ホルダー４００の間に流路が形成されることにより空気流出入口開閉装置９０が開放される。
【００２６】
また、前記弾性栓部３００には、前記弾性具３１０の他側に連続して形成され、前記弾性具３１０よりは相対的に大きな直径を有するとともに外周に沿って前記空気流出入路３５０が形成され、弾性栓部ホルダー４００の内周面と接触するように形成された支持板３３０が形成される。前記支持板３３０は、弾性栓部ホルダー４００の内周面と接触して周囲に沿って形成された空気流出入路３５０によって流路が形成されることにより、空気の流出入ができるようにする。
【００２７】
また、前記弾性栓部３００には、前記支持板３３０の他側に連続して形成され、前記支持板３３０よりは相対的に小さな直径を有するとともに、周囲に沿って空気流出入路３６０が形成され、中心部にはスプリング３７０が収容される収容部が形成された流路形成板３４０が設けられる。前記流路形成板３４０の空気流出入路３６０は前記支持板３３０に形成された空気流出入路３５０に対応して連続的に形成され、スプリング３７０は前記収容部に収容されてスプリング３７０の一端が支持される。スプリング３７０の他端部は後述するスプリングカバー５００によって支持される。
【００２８】
次に、前記弾性栓部ホルダー４００は前記メインキャップ１００の内部で前記弾性栓部３００を収容し、シール部材３２０によって弾性栓部３００と密閉状態で結合される。すなわち、前記ボタンキャップ２００のロックの際には、前記弾性栓部３００が前進しながらシール部材３２０と弾性栓部ホルダー４００の間に流路を形成するようになり、前記ボタンキャップ２００の解除の際には弾性栓部３００が後進しながらシール部材３２０によって弾性栓部３００と弾性栓部ホルダー４００が密閉されるものである。
【００２９】
また、前記弾性栓部ホルダー４００は前記メインキャップ１００の内周面に密着するように結合され、前記ボタンキャップ２００のロックによって弾性栓部３００の前進による流路の形成は、前記ボタンキャップ２００の外部空気流出入孔２１０を通じての弾性栓部３００と弾性栓部ホルダー４００の間の空間、かつ前記弾性栓部３００の空気流出入路３５０、３６０を通じての後述するスプリングカバー５００の内部空気流出入孔５１０のみでなる。
【００３０】
また、前記弾性栓部ホルダー４００は前記シール部材３２０による弾性栓部３００との密閉性を高めるために円筒状に形成され、前記弾性具３１０に結合されたシール部材３２０と密閉状態で結合するように、前記弾性具３１０に隣接した部分が他の部分より直径が小さく形成される。すなわち、シール部材３２０の大きさに相応するように形成されればかまわない。
【００３１】
次に、前記スプリングカバー５００は前記メインキャップ１００に挿入され、履物の底に形成された空気流出入口の最内側部分に位置することになり、前記弾性栓部３００のスプリング３７０の他端を支持することになる。前記スプリングカバー５００は、不要な流路の形成を防止するために、前記弾性栓部ホルダー４００に密着状態で結合され、中心部には流路の形成のための内部空気流出入孔５１０が形成され、究極に外部から流入した空気はこれを通じて履物の内部に供給される。
【００３２】
このように形成された履物底の空気流出入口に結合される空気流出入口開閉装置９０は、図４に示すように、履物底１０の側面の空気流出入口１１の外部に露出するように形成される。図示のように、前記空気流出入口１１の外部に露出されるように形成された前記ボタンキャップ２００の頭部を回せば、前記ボタンキャップ２００は螺合されたメインキャップ１００の内部で前進し、これにより前記ボタンキャップ２００の加圧具２２０が前記弾性栓部３００の弾性具３１０を加圧すれば、前記弾性栓部３００も前進することになる。ここで、前記弾性栓部３００はスプリング３７０によって前記加圧具２２０に弾性的に付勢されて当接するように形成されている。
【００３３】
そして、前記弾性栓部３００が前進すれば、前記弾性栓部３００と弾性栓部ホルダー４００の間の密閉が解除されて流路が形成されるので、本発明による空気流出入口開閉装置９０は一つの連通した流路によって開放される。
【００３４】
すなわち、前記ボタンキャップ２００の外部空気流出入孔２１０を通じて流入した空気は、ボタンキャップ２００の前進によって前記弾性栓部３００と弾性栓部ホルダー４００の間が開放して形成された流路を通じて弾性栓部３００の空気流出入路３５０、３６０を通して前記スプリングカバー５００の内部空気流出入孔５１０から流出され、履物底に形成された通孔によって履物の内部に新鮮な空気が供給されるものである。
【００３５】
使用者は必要に応じて前記ボタンキャップ２００を回して簡単なロック及び解除の動作を行って空気流出入口開閉装置９０を開放することで、履物の内外部に空気が流出入するようにし、空気の流出入が必要でないときには、空気流出入口開閉装置９０を閉鎖して使うことができるものである。
【産業上の利用可能性】
【００３６】
本発明は履物用通気底に適用可能であり、より詳しくは履物の底の内部に外部空気の流出入ができるようにした通気底の空気流出入口を使用者が直接開閉するようにした履物用通気底に適用可能である。
【符号の説明】
【００３７】
９０    空気流出入口開閉装置
１００    メインキャップ
２００    ボタンキャップ
２１０    外部空気流出入孔
２２０    加圧具
２３０    把持溝
３００    弾性栓部
３１０    弾性具
３２０    シール部材
３３０    支持板
３４０    流路形成板
３５０、３６０    空気流出入路
３７０    スプリング
４００    弾性栓部ホルダー
５００    スプリングカバー
５１０    内部空気流出入孔
【図１】
0005401607.tif 000002
【図２】
0005401607.tif 000003
【図３】
0005401607.tif 000004
【図４】
0005401607.tif 000005